(57)【要約】【課題】  平面的で大きい面積を有する弁当や惣菜等を使用する者にとって、詰納しやすくすると同時に袋素材の削減を図ることを課題とする。【解決手段】  筒状フィルムの軸線方向両側部を内方へ折り込んでガゼット１２，１２とするとともに両端を切断融着し、その一端は前記ガゼットの谷部１２ａ，１２ａを含んで凹状に裁断することにより左右端にループ状の吊手部１３，１３が、その間に開口部１４が形成された手提げ構造の包装袋であって、前記開口部１４の開口縁中央位置から縦方向所要長さにわたりスリット１６を切設したことにある。【選択図】  図１
2006312486.tif 000002
【特許請求の範囲】
【請求項１】
筒状フィルムの軸線方向両側部を内方へ折り込んでガゼットとするとともに両端を切断融着し、その一端は前記ガゼットの谷部を含んで凹状に裁断することにより左右端にループ状の吊手部が、その間に開口部が形成された手提げ構造の包装袋であって、前記開口部の開口縁中央位置から縦方向所要長さにわたりスリットが切設されていることを特徴とする包装袋。
【請求項２】
筒状フィルムの軸線方向両側部を内方へ折り込んでガゼットとするとともに両端を切断融着し、その一端は前記ガゼットの谷部を含んで凹状に裁断することにより左右端にループ状の吊手部が、その間に開口部が形成された手提げ構造の包装袋であって、前記開口部の開口縁中央位置から縦方向所要長さにわたり引き裂き可能な引き裂き容易部が形成されていることを特徴とする包装袋。
【請求項３】
前記スリットの終端位置に円形その他適宜形状に切り抜かれた裂け止め部が形成されている請求項１記載の包装袋。
【請求項４】
前記引き裂き容易部の終端位置に円形その他適宜形状に切り抜かれた裂け止め部が形成されている請求項２記載の包装袋。
【請求項５】
前記裂け止め部の抜きかすが一部で袋素材に繋がって一体化されている請求項３または４に記載の包装袋。
【請求項６】
前記開口部の開口縁中央部に突片が形成され、この突片の上端縁中央位置から前記スリットが切設されている請求項１項記載の包装袋。
【請求項７】
前記開口部の開口縁中央部に突片が形成され、この突片の上端縁中央位置から前記引き裂き容易部が形成されている請求項２項記載の包装袋。
【発明の詳細な説明】
【技術分野】
【０００１】
本発明はプラスチックフィルムにより形成される手提げ構造の包装袋に関する。
【背景技術】
【０００２】
スーパーマーケットやコンビニエンスストア等において、販売した商品を詰納して顧客に提供する袋として図３（Ａ）、（Ｂ）に示すような手提げタイプの包装袋１が一般に使用されている（特許文献１参照）。
【０００３】
この包装袋１は、筒状のフィルムの軸線方向両側を内側へ折り込んでガゼット２，２とされ、袋としての長さに切断融着する際に前記ガゼット２，２の谷部２ａ，２ａを含んで裁断することにより左右にループ状になる吊手部３，３が形成され、この吊手部３，３間が開口部４とされて商品を詰納することができる構造となっている。この開口部４の開口縁の中央に閉じ用の突片５，５が形成されている。
【０００４】
ところで上記従来の包装袋１に弁当や惣菜のように容積は小さくても平面積の大きい商品を詰納しようとすると、包装袋１の開口部４から平らな姿勢で収納することができず、そのため商品の容積に比して大型の包装袋を使用しなければならず、非効率な結果となっている。
【０００５】
また上記構造による包装袋１は、その開口部４の開口面積が吊手部３，３の長さＬ１によって左右される。すなわち開口部４は左右のガゼット２，２が完全に伸びきった状態が最大の開度となるのであるが、開口部４の両側に位置する吊手部３，３の長さが短いとこの吊手部３，３のループの大きさが足りずにガゼット２，２の展伸が制約を受け、開口部４を全開状態にすることができず、そのため開口部４を全開状態にさせるに足るだけの長さの吊手部３，３を形成した包装袋とせざるを得ない。その結果、包装袋の全長Ｌ２を長くせざるを得なくなり、また吊手部３，３間の切り落される部分の面積が大きくなって袋素材の無駄が多く出て、包装袋のコスト高の一因となるという問題があった。
【特許文献１】特開平１１−２７８４９７号公報
【発明の開示】
【発明が解決しようとする課題】
【０００６】
本発明は上記従来の包装袋が有する問題点を解消することを課題とするもので、平面的に大きい面積を有する商品であっても吊手部を長く形成することなく収納がしやすい包装袋とすることができながら袋素材の節減を図ることができ、加えて商品を収納したのちにおいて開口部を確実に閉止することができる手提げ構造の包装袋を提供することにある。
【課題を解決するための手段】
【０００７】
上記課題を解決する手段として本発明は、筒状フィルムの軸線方向両側部を内方へ折り込んでガゼットとするとともに両端を切断融着し、その一端は前記ガゼットの谷部を含んで凹状に裁断することにより左右端にループ状の吊手部が、その間に開口部が形成された手提げ構造の包装袋であって、前記開口部の開口縁中央位置から縦方向所要長さにわたりスリットが切設されていることを特徴とする。
【０００８】
また、上記課題を解決する手段として本発明は、筒状フィルムの軸線方向両側部を内方へ折り込んでガゼットとするとともに両端を切断融着し、その一端は前記ガゼットの谷部を含んで凹状に裁断することにより左右端にループ状の吊手部が、その間に開口部が形成された手提げ構造の包装袋であって、前記開口部の開口縁中央位置から縦方向所要長さにわたり引き裂き可能な引き裂き容易部が形成されていることを特徴とする。
【０００９】
前記スリットまたは前記引き裂き容易部の終端位置に円形、多角形、楕円形、その他適宜形状に切り抜いた裂け止め部を形成することが望ましい。
【００１０】
その場合、裂け止め部の抜きかすを袋素材から分離させずに一部で繋がっている状態のままとし、製袋時における抜きかす回収工程を省略するようにすることが好ましい。
【００１１】
前記開口部の開口縁中央部に突片を形成し、この突片の上端縁中央位置から、前記スリットを切設するようにしたり前記引き裂き容易部を形成するようにしたりすることができる。こうすることにより、開口部を十字状に縛って閉止することが可能となって一層好ましい形態とすることができる。
【発明の効果】
【００１２】
本発明によれば、包装袋の開口部の中央部から縦方向に所要長さにわたるスリットが設けられているので、平面の面積が大きい弁当や惣菜のような商品であっても平らなままで無理なく収納して手に提げることができる。
【００１３】
また、開口部の開口縁中央位置から縦方向所要長さにわたり引き裂き可能な引き裂き容易部が形成されているので、引き裂き容易部を引き裂く場合には上述のように平面の面積が大きい弁当や惣菜のような商品であっても平らなままで無理なく収納して手に提げることができ、また引き裂き容易部を引き裂かない場合には縦幅の深い袋として機能させることができ、引き裂き容易部を引き裂くか引き裂かないかによって、包装される内容物の大きさや種類によって二種類の機能を使いわけることができる。
【００１４】
また、左右の吊手部を必要以上に長くせずとも開口部を大きく開けることができるので、切り落す袋素材の量も少なくてすみ、資材の無駄が削減され、コストダウンに大きく寄与することができる。
【００１５】
一方、スリットまたは前記引き裂き容易部の終端位置に裂け止め部を形成することにより開口部を大きく開けて商品を詰納してもスリットまたは引き裂き容易部が延長するように裂けて包装袋としての機能を失ってしまうことが防がれる。
【００１６】
さらに開口部の開口縁中央位置に突片を突設し、この突片の中央部先端からスリットまたは引き裂き容易部を形成すれば、商品を詰納後スリットまたは引き裂き容易部によって分離された４個の突片で十字状に緊縛することができ、開口部を確実に閉止することができる。
【発明を実施するための最良の形態】
【００１７】
図１（Ａ）は本発明による包装袋１１の一実施形態を示す斜視図であり、包装袋自体の基本構成に関しては図３に示した既存の包装袋と同様に、連続して形成される筒状フィルムの軸線方向両側部を内側に折り込んでガゼット１２，１２とされ、所定の長さＬ３で両端を切断して融着１１ａ，１１ｂがなされており、一端は前記ガゼット１２，１２の谷部１２ａ，１２ａを含んで凹状に裁断することにより左右端にループ状の吊手部１３，１３が形成されているとともにこの吊手部１３，１３間が開口部１４とされている。
【００１８】
なお、ここに云う切断融着とは、熱刃による切断と同時融着（溶断）、または熱融着させたのちの切断（カット）のいずれをも含むものである。
【００１９】
図示の実施形態では、この開口部１４の開口縁中央位置に突片１５，１５が突設されている。
【００２０】
本発明においては、前記突片１５，１５の上端縁中央から所要長さにわたりスリット１６，１６が切設されており、その終端位置には裂け止め部１７が形成されている。
【００２１】
この裂け止め部１７は、図１（Ｂ）に拡大示するように、円形、楕円形、その他適宜な形状に打ち抜きにより形成されるが、その抜きかす１７ａは袋素材に一部１７ｂが繋がったままとして一体とされている。
【００２２】
これは製袋時に抜きかす１７ａを完全に打ち抜いてしまうと抜けきらずに残ってしまうものが生じ、これが異物となって付着残留する不具合いがあるが、前記のように抜きかす１７ａの一部１７ｂが繋がった状態としておくことにより抜きかす１７ａを回収する工程を省くことができるとともに異物として残留することも解消することができる。
【００２３】
本発明は上記の構成としたので、左右の吊手部１３，１３に手を掛けて左右に引っ張るようにすれば、図２にみられるように開口部１４がスリット１６，１６により左右に大きく開き、偏平で広い面積を有する弁当や惣菜であっても容易迅速に収納することができる。
【００２４】
開口部１４に突片１５，１５が形成されている場合には、商品収納後開口部１４を閉じる必要のあるとき、突片１５，１５がスリット１６，１６により４片に分割されているので十文字状に縛ることができ、開口部１４を確実に閉止させることができる。
【００２５】
前記スリット１６，１６の長さは、包装袋１１の用途によって適宜選択することができる。また突片１５，１５は必ずしも設ける必要はない。
【００２６】
次に、図４を参照して本発明による包装袋の他の実施形態について説明する。図４に示す包装袋１１は、引き裂き容易部としてミシン目２０が形成されている。開口部１４の開口縁中央位置に突片１５，１５が突設されており、ミシン目２０は突片１５，１５の上端縁中央から所要長さにわたり形成されており、ミシン目２０の終端位置には裂け止め部１７が形成されている。ミシン目２０を引き裂かない場合には、開口部１４は円筒状の形状をなし、包装袋１１は縦幅の深い袋として機能することができる。この場合、開口部１４の広口性は必要でないが袋の長い深さが必要とされる場合に便利である。また、ミシン目２０を引き裂く場合には、包装袋１１は図１示した包装袋１１と同様に機能することができる。
このように、図４に示す包装袋１１は、ミシン目２０を引き裂くか引き裂かないかによって、包装される内容物の大きさや種類によって二種類の機能をつかいわけることができる。
なお、引き裂き容易部としては、ミシン目２０の他に、引っ張り可能な細幅テープを装着したものや、断続的にシールを外したシール飛ばし、断続的にカットしたもの等のように容易に引き裂きできるものであればよい。
【図面の簡単な説明】
【００２７】
【図１】本発明による包装袋の一実施形態を示し、（Ａ）は斜視図、（Ｂ）は一部の拡大図。
【図２】同、開口部を広げた状態を示す斜視図。
【図３】従来の手提げ構造の包帯袋を示し、（Ａ）は正面図、（Ｂ）は（Ａ）のＡ−Ａ断面図。
【図４】本発明による包装袋の他の実施形態を示し、（Ａ）は斜視図、（Ｂ）は一部の拡大図。
【符号の説明】
【００２８】
１、１１  包装袋
２、１２  ガゼット
３、１３  吊手部
４、１４  開口部
５、１５  突片
１６  スリット
１７  裂け止め部
１７ａ  抜きかす
２０  ミシン目（引き裂き容易部）
【図１】
2006312486.tif 000003
【図２】
2006312486.tif 000004
【図３】
2006312486.tif 000005
【図４】
2006312486.tif 000006